(57)【要約】【課題】  球受け皿から遊技球を排出させる球抜き等の操作を容易にし、また遊技の興趣を損なうこともない等の遊技機を提供する。【解決手段】  発射ハンドル３０に設けられた球抜きスイッチ３１０と、球抜きスイッチの操作に応じて球受け部２１底面の球抜き口２０４を開放する球抜き機構２１０と、球受け部に貯留される遊技球の満杯状態を検出する球満杯センサ２２０と、遊技球の満杯状態を検出したときこれを報知する報知手段４０とを備える。これにより、大当たり中でも遊技を中断せずに容易に球抜き操作ができる。【選択図】  図８
2005296445.tif 000002
【特許請求の範囲】
【請求項１】
遊技球が供給される受け皿と、該受け皿に貯留している遊技球を遊技盤面へ打ち出す操作を行う発射ハンドルとを備える遊技機であって、
前記発射ハンドルに配設されるスイッチと、
前記スイッチの操作に応じて前記受け皿に貯留している遊技球を排出させる球抜き機構とを備えることを特徴とする遊技機。
【請求項２】
前記受け皿に貯留される遊技球の満杯状態を検出する検出手段と、
前記検出手段が遊技球の満杯状態を検出したとき前記受け皿から遊技球を排出させる球抜き操作を促す報知を行う報知手段とを更に備えることを特徴とする請求項１に記載の遊技機。
【請求項３】
前記検出手段は、前記受け皿の上縁に設けられる光学式センサであることを特徴とする請求項２に記載の遊技機。
【請求項４】
前記検出手段は、前記受け皿の上縁に設けられる静電容量型センサであることを特徴とする請求項２に記載の遊技機。
【請求項５】
前記球抜き機構は、前記受け皿の底面部に設けられている排出口を開放することで、前記受け皿に貯留している遊技球を前記排出口を通して前記受け皿の下方へ排出することを特徴とする請求項１〜４の何れか１項に記載の遊技機。
【発明の詳細な説明】
【技術分野】
【０００１】
本発明は、球受け皿から遊技球を排出させる球抜きの操作を容易にするパチンコ機等の遊技機に関する。
【背景技術】
【０００２】
パチンコ機等の遊技機においては、入賞時に払い出される遊技球（賞球）や、隣接する台間玉貸機から貸し出し操作に応じて払い出される遊技球（貸球）を一時的に貯留する球受け皿が前面枠の下方位置に設けられている。例えば、特許文献１に記載の遊技機においては、球受け皿と球貸しボタン及び球抜きボタン等がユニット化された一体皿が前面枠に備えられ、当該一体皿の正面に設けられている球抜きボタンが押圧操作されると内蔵する球抜き機構が作動して、球受け皿に貯留されている遊技球を下方の球箱（ドル箱）等へ排出するように構成されている。
【０００３】
【特許文献１】特開２００３−２１０７９３号公報
【発明の開示】
【発明が解決しようとする課題】
【０００４】
ところで、従来の遊技機では、球受け皿に貯留される遊技球が満杯になった場合などに遊技者が球抜き操作をするときには、一体皿に設けられている球抜きボタン等を押圧操作しなければならず操作が煩雑であった。
【０００５】
また、従来の遊技機では、球受け皿に遊技球が満杯になると自動的に遊技球の打ち出しを停止させる機能を有しているが、大当たり時など賞球が多く払い出されているときには遊技者は遊技に夢中になっている場合が多く、球抜き操作を忘れて遊技を中断させてしまう場合があった。更には、球抜き操作をするために、遊技者は一旦発射ハンドルから手を離すなどして遊技球の打ち出しを中断させる場合もあった。このように、遊技の最中に賞球が多く払い出されているにも関わらず遊技を中断せざるを得ない場合があり、遊技の興趣が損なわれるという問題があった。
【０００６】
本発明は、こうした従来の問題に鑑みてなされたものであり、例えば大当たり時など遊技球が多く払い出されている状況にあっても、球受け皿から遊技球を排出させる球抜き操作を良好な操作性で行うことを可能にし、また遊技の興趣を損なうこともない等の遊技機を提供することを目的としている。
【課題を解決するための手段】
【０００７】
請求項１に記載の発明は、遊技球が供給される受け皿と、該受け皿に貯留している遊技球を遊技盤面へ打ち出す操作を行う発射ハンドルとを備える遊技機であって、前記発射ハンドルに配設されるスイッチと、前記スイッチの操作に応じて前記受け皿に貯留している遊技球を排出させる球抜き機構とを備えることを特徴とする。
【０００８】
請求項１に記載の遊技機によれば、発射ハンドルに配設されているスイッチが操作されると、球抜き機構が作動して受け皿に貯留している遊技球を排出する。これにより、遊技球を打ち出しながらの球抜き操作を可能にする。
【０００９】
請求項２に記載の発明は、請求項１に記載の遊技機であって、前記受け皿に貯留される遊技球の満杯状態を検出する検出手段と、前記検出手段が遊技球の満杯状態を検出したとき前記受け皿から遊技球を排出させる球抜き操作を促す報知を行う報知手段とを更に備えることを特徴とする。
【００１０】
請求項２に記載の遊技機によれば、検出手段が受け皿に貯留されている遊技球の満杯状態を検出すると、報知手段が球抜き操作を促す報知を行う。これにより、遊技者は受け皿に遊技球が満杯になると確実に球抜き操作を行うことができるので、遊技を中断させてしまうことがなくなる。
【００１１】
請求項３に記載の発明は、請求項２に記載の遊技機であって、前記検出手段は、前記受け皿の上縁に設けられる光学式センサであることを特徴とする。
【００１２】
請求項３に記載の遊技機によれば、光学式センサが受け皿の上縁付近に貯留する遊技球を検出することで、受け皿の満杯状態を検出する。
【００１３】
請求項４に記載の発明は、請求項２に記載の遊技機であって、前記検出手段は、前記受け皿の上縁に設けられる静電容量型センサであることを特徴とする。
【００１４】
請求項４に記載の遊技機によれば、静電容量型センサが受け皿の上縁付近に貯留する遊技球を検出することで、受け皿の満杯状態を検出する。
【００１５】
請求項５に記載の発明は、請求項１〜４の何れか１項に記載の遊技機であって、前記球抜き機構は、前記受け皿の底面部に設けられている排出口を開放することで、前記受け皿に貯留している遊技球を前記排出口を通して前記受け皿の下方へ排出することを特徴とする。
【００１６】
請求項５に記載の遊技機によれば、発射ハンドルに配設されているスイッチが操作されると、球抜き機構が受け皿の底面部に設けられている排出口を開放することで、受け皿に貯留している遊技球を排出口を通して受け皿の下方へ排出する。
【発明の効果】
【００１７】
以上説明したように本発明の遊技機によれば、遊技者は発射ハンドルに配設されているスイッチを操作することで、例えば遊技を中断することなく容易に球抜き操作をすることができる。また、受け皿に貯留されている遊技球が満杯になると遊技者に対して球抜き操作を促す報知をするので、遊技者は遊技を中断させずに遊技球の球抜き操作を行うことができる。このように、球抜き操作など遊技に係る操作性を向上させることで遊技の興趣を高めることができる。
【発明を実施するための最良の形態】
【００１８】
以下、本発明による好適な一実施形態として、パチンコ機について図面を参照しながら説明する。なお、図１（ａ）は本パチンコ機１の外部構造を表す正面図、図１（ｂ）はその側面図、図２は本パチンコ機１の構造を表す背面図である。
【００１９】
本パチンコ機１は、発射ハンドル３０の回動操作に応じて球発射装置５５が作動し、遊技球を遊技盤面部１６に打ち出しながら遊技を行うもので、いわゆる確率変動等の大当たりが発生した状態でアタッカー１９（開閉式の大入賞口）に遊技球が入球することにより、その入賞に対応する数の遊技球を皿ユニット２０へ払い出すように構成されている。上記確率変動（確変当たり）とは、遊技盤面部１６上の始動チャッカー１８への入球の際に行われる抽選の結果、確変モードの大当たりが当選したとき、少なくとも当該確変モードによる遊技状態において次の大当たりを引くまでの間、遊技者に有利な付加価値を付与する特別な遊技状態を意味する。これに対し、当該特別な遊技状態にならない大当たりとして「通常当たり」がある。
【００２０】
図１に示すように、本パチンコ機１は、木枠１１と、当該木枠１１に対して開閉可能に装着された前扉１２とを備え構成されている。前扉１２の前面には、透明ガラス板１３を有するガラス枠１４が開閉可能に装着され、前扉１２の前面下方部分には、同じく硬質プラスチックで一体的に形成された皿ユニット２０が開閉可能に装着されている。
【００２１】
ガラス枠１４の上部には、高輝度の発光ダイオードを有する演出用照明部４１と、スピーカを有する演出用放音部４２ａ、４２ｂとが配設されている。また、ガラス枠１４の上方左隅部には、同じく高輝度の発光ダイオードを有し、例えばガラス枠１４の開放エラー等を光で報知するための報知用照明部４３が配設されている。
【００２２】
なお、木枠１１内には、前扉１２を木枠１１側へ閉めることで自動的に施錠し、且つ、ガラス枠１４を前扉１２側へ閉めることでも施錠する不図示の施錠装置が設けられ、ガラス枠１４の前面右方部に形成されている鍵穴１５に所定の鍵を挿入して開錠操作をすることにより、これらを開放することができるようになっている。
【００２３】
皿ユニット２０には、賞球または貸球として供給される遊技球を一時的に貯留するための球受け部２１が一体的に形成されている。球受け部２１の右方内壁には賞球払出口２２が形成され、当該賞球払出口２２を通して後述する賞球払出装置５３からの賞球または貸球が球受け部２１へ払い出される。
【００２４】
また、皿ユニット２０の右側には、遊技球を遊技盤面部１６へ向けて打ち出すための発射ハンドル３０が配置されている。すなわち、発射ハンドル３０は、内蔵するバネによって左回転方向に常時付勢される回動操作部３０１を有し、当該バネの付勢力に抗して回動操作部３０１が右回転方向に操作されると、球発射装置５５を作動して回動操作部３０１の回動角度に応じた打撃力で遊技球が打ち出されるようになっている。
【００２５】
また、皿ユニット２０の下方部には、本パチンコ機１の遊技に係る案内を音声出力するためのスピーカを有する案内用放音部２５が配設されている。
【００２６】
また、皿ユニット２０の中央には、球受け部２１上の遊技球を球発射装置５５付近から皿ユニット２０底部の球排出口２３を通して下方へ排出させる球抜きボタン２４ａと、球受け部２１上の遊技球を賞球払出口２２付近から球排出口２３を通して排出させる球抜きボタン２４ｂが設けられている。なお、後述するように、本発明に係るパチンコ機１は、発射ハンドル３０に設けられている球抜きスイッチを操作することによっても球排出口２３を通して遊技球を下方へ排出できるように形成されている。
【００２７】
前扉１２に設けられている遊技盤面部１６には、落下する遊技球を衝突させてその方向を偶発的に変更する釘が複数打設されている。また、遊技盤面部１６には、入賞口に遊技球が入ることで入賞し、同時に乱数抽選を起動させるチャッカー１８、及び遊技球が通過することで乱数抽選を起動させるパスゲート等が適宜の位置に複数配置されている。また、開閉式の入賞口を有するアタッカー１９が下方位置に配置されている。アタッカー１９は、大当たり等の入賞が確定すると、一定時間又は一定数の遊技球が入球するまで開放すると共に、開放時に遊技球が入ると通常よりも多くの賞球を払い出すので、入賞の確率を遊技者に有利に変動させることができる。
【００２８】
遊技盤面部１６の略中央には矩形の表示窓４４が形成され、遊技盤面部１６の裏側に液晶ユニット５８が表示窓４４に面して装着されている。これにより、表示窓４４を通して、液晶ユニット５８が表示する演出図柄映像（例えば大当たり抽選の様子や当選結果を演出するような動画像）を遊技者が目視できるようになっている。
【００２９】
次に、図２を参照し、本パチンコ機１の背面側の構造を説明する。本パチンコ機１の木枠１１中央には、ＣＰＵ（またはマイコン）を実装しパチンコ機１の全体動作を集中制御する主制御基板５１が配置されている。主制御基板５１の上方には、液晶ユニット５８等の映像表示装置が配置されている。また、液晶ユニット５８の左方には、サブ制御基板５２が配置されている。サブ制御基板５２は、液晶ユニット５８に対して映像表示の制御を行う映像表示制御部や、上述した演出用照明部４１及び演出用放音部４２ａ、４２ｂに光または音による演出を行わせる制御を行う照明及び音響制御部を搭載している。
【００３０】
木枠１１の上部には、遊技島に設備される図示しない玉補給樋から賞球用として補給される遊技球を一時的に受ける賞球タンク５４が配置されている。木枠１１の中央部右方には、賞球タンク５４に貯留されている遊技球を入賞に応じて皿ユニット２０の球受け部２１へ払い出す賞球払出装置５３が設けられている。
【００３１】
木枠１１の下部には、払出制御基板５６、球発射装置５５、及び電源ユニット５７がそれぞれ配置されている。
【００３２】
払出制御基板５６は、チャッカー１７、１８またはアタッカー１９へ遊技球が入球し、または遊技者によって遊技球の貸し出し操作がされたとき、賞球払出装置５３を作動して所定数の賞球または貸球を払い出す制御を行う。球発射装置５５は、発射ハンドル３０の回動操作に応じて、球受け部２１に貯留されている遊技球を一球づつ遊技盤面部１６へ打ち出す装置である。電源ユニット５７は、主制御基板５１等の各種制御基板、及び球発射装置５５等の各種内蔵機器（装置）へ配電する配電回路が形成されており、本パチンコ機１の動作に必要な電力を各所に供給する。
【００３３】
次に、皿ユニット２０に形成される球受け部２１及び球抜き機構２１０の構造を図３及び図４を参照して説明する。図３は、上方から見た皿ユニット２０の構造を表す平面図、図４は、皿ユニット２０の正面図である。
【００３４】
図３及び図４において、皿ユニット２０に形成される球受け部２１の底面部分には段差が形成され、これらによって左側領域を占める高位面部２０１と、右側領域を占める中位面部２０２と、中央領域を占める低位面部２０３にほぼ区切られている。高位面部２０１及び中位面部２０２は、中央の低位面部２０３に向かって下方に傾斜し、これにより、賞球払出口２２を通して中位面部２０２の領域へ払い出された賞球、また本パチンコ機１の左方に隣接して設けられる不図示の台間玉貸機のノズルから高位面部２０１へ払い出された貸球がこれらの傾斜面に沿って流下して中央の低位面部２０３へ案内される。低位面部２０３には、左方に下る傾斜を有する誘導樋部が形成され、低位面部２０３へ案内された遊技球は誘導樋部によって一列に整列され、球発射装置５５へと誘導される。
【００３５】
球受け部２１内壁の上縁付近には、球満杯センサ２２０が配置されている。球満杯センサ２２０は、センシング面に近接する遊技球を検出するセンサであり、球受け部２１において遊技球が満杯になるとオン動作し、主制御基板５１（または制御装置５１０）へ検出信号（オン信号）を送信する。球満杯センサ２２０は、例えば光スイッチ等、センシング面へ投入される光量を検出して遊技球が満杯かどうか検出するフォトセンサである。なお、球満杯センサ２２０は、遊技球からの反射光を受光して遊技球の滞留状態を検出する反射型のフォトセンサであってもよい。また、球満杯センサ２２０は、センシング面に備えられるシート状電極の静電容量を検出して遊技球の滞留状態を検出する静電容量型センサであってもよい。
【００３６】
中位面部２０２には、円形の球抜き口２０４が形成されている。この球抜き口２０４は、皿ユニット２０の底部に設けられている球排出口２３と連通しており、通常は、シャッタ板２１１で塞がれている。シャッタ板２１１は、中位面部２０２の下側に設置されている球抜き機構２１０の作動により水平方向にスライドするように取り付けられている。すなわち、球抜き機構２１０が作動して図４の矢示Ａ方向へシャッタ板２１１がスライドすると球抜き口２０４が開放され、球受け部２１の中位面部２０２に貯留されている遊技球が球抜き口２０４から落下し、球排出口２３を通して排出される。
【００３７】
球抜き機構２１０は、例えば、ステッピングモータである揺動モータと、カム孔を有し揺動モータの駆動によって揺動するアーム部材とを備え、シャッタ板２１１の端部に設けられる突起部がアーム部材のカム孔に係合している。かかる球抜き機構２１０によれば、揺動モータによりアーム部材を左右の所定角度位置に揺動させることで、シャッタ板２１１が往復移動し、球抜き口２０４が開閉する。
【００３８】
次に、図５〜図７を参照し、本パチンコ機１に取り付けられている発射ハンドル３０の構造を説明する。図５は、発射ハンドル３０の内部構造を表す部分断面図、図６は、図５に示す矢印位置Ｂから見た、前カバー３０３が取り外された状態の発射ハンドル３０の内部構造を表す正面図、図７は、図５に示す矢印位置Ｃから見た、回動操作部３０１が取り外された状態の発射ハンドル３０の内部構造を表す正面図である。なお、発射ハンドル３０は、回動操作部３０１と、支持部材３０２と、前カバー３０３等の部材が組み立てられてユニット化されたものであり、支持部材３０２に形成されている取付け部３０２ｂを介してパチンコ機１の皿ユニット２０に装着される。
【００３９】
図５に示すように、支持部材３０２は、略半球形状の収容体であるケース部３０２ａと、パチンコ機１の皿ユニット２０に当該発射ハンドル３０のユニットを装着するための取付け部３０２ｂとを備え、これらが一体的に形成されている。ケース部３０２ａ内壁の中心軸位置には、歯車３０５の軸部を受ける軸受部３０２ｅが形成されている。また、前カバー３０３の接続柱部３０３ｂ先端と接続する接続筒部３０２ｃと、バネ３０４の一端を止めるための支柱部３０２ｄとが、ケース部３０２ａ内壁から前カバー３０３側へ延びて形成されている。なお、接続筒部３０２ｃの内部は、前カバー３０３とネジ止めする小ネジを収容するため空洞となっている。
【００４０】
また、支持部材３０２のケース部３０２ａには、可変抵抗器３０７（ポテンショメータ）が取り付けられている。可変抵抗器３０７の軸には歯車３０６が固着され、回動操作部３０１と連動する歯車３０５と歯合している。
【００４１】
また、ケース部３０２ａの上部には、押圧操作することでオン動作する押しボタン式のスイッチである球抜きスイッチ３１０が設けられている。なお、球抜きスイッチ３１０は、後述する制御装置５１０と配線接続されている。
【００４２】
前カバー３０３は、略半球形状の蓋体であり、その内壁には回動操作部３０１の軸部３０１ｃを受ける軸受部３０３ａが形成され、また、支持部材３０２と接続するための接続柱部３０３ｂが、支持部材３０２側の上記接続筒部３０２ｃと対応する位置にそれぞれ形成されている。
【００４３】
図６に示すように、回動操作部３０１は、指掛け用の突起部を複数有する円筒部３０１ａと、円筒部３０１ａの内側を塞ぐ円盤部３０１ｂと、円盤部３０１ｂ中心に設けられる軸部３０１ｃとを備え、これらが一体的に形成されている。
【００４４】
また、円盤部３０１ｂには、支持部材３０２の接続筒部３０２ｃまたは支柱部３０２ｄを通すための円弧状の孔３０１ｄ、３０１ｅと、上記歯車３０５の側面に形成されている突起部を遊嵌させる遊嵌孔３０１ｆが軸部３０１ｃに隣接して形成されている。
【００４５】
すなわち、支持部材３０２と前カバー３０３とは、回動操作部３０１の円筒部３０１ａを嵌合して挟み、接続筒部３０２ｃ及び接続柱部３０３ｂの先端同士を接続筒部３０２ｃ側から挿入する小ネジでネジ止め固着される。これにより、回動操作部３０１は、その軸部３０１ｃが前カバー３０３の軸受部３０３ａに軸支されると共に、その円筒部３０１ａの両縁部分が支持部材３０２及び前カバー３０３の周縁部分によって摺動可能に支持されることで、支持部材３０２及び前カバー３０３に対して回動可能に取り付けられる。
【００４６】
回動操作部３０１の軸部３０１ｃには、ねじりコイルバネであるバネ３０４が巻回されている。そして、バネ３０４の一端が支持部材３０２の支柱部３０２ｄに小ネジで固定され、バネ３０４の他端が回動操作部３０１の円盤部３０１ｂに係止されることで、回動操作部３０１は常時左回転方向に付勢されている。
【００４７】
図６に示されるように、発射ハンドル３０は、非操作状態においては、円盤部３０１ｂの孔３０１ｄ、３０１ｅの左回転方向始端に支持部材３０２の接続筒部３０２ｃが当接し、発射ハンドル３０の回動操作部３０１が最大量回動操作されると、孔３０１ｄ、３０１ｅの左回転方向終端に上記接続筒部３０２ｃが当接する。すなわち、孔３０１ｄ、３０１ｅの長さ寸法により、回動操作部３０１の回動操作範囲が制限されている。
【００４８】
かかる構成の発射ハンドル３０は、回動操作部３０１がバネ３０４の付勢力に抗しながら右回転方向に操作されると、円盤部３０１ｂに遊嵌する歯車３０５が連動し、これに歯合する歯車３０６を介して可変抵抗器３０７の軸部を回転するように構成されている。これにより、例えば可変抵抗器３０７に一定の電流を供給すれば、回動操作部３０１の回動操作角度に応じた電圧信号を可変抵抗器３０７から得ることができるように構成されている。
【００４９】
次に、図８に示す制御ブロック図を参照し、パチンコ機１の本発明に係る制御システムを説明する。
【００５０】
本制御システムは、発射ハンドル３０の可変抵抗器３０７と球抜きスイッチ３１０、並びに皿ユニット２０の球満杯センサ２２０からの信号（検出値等）を制御装置５１０が入力し、後述する報知手段４０と上記球抜き機構２１０へ指令信号を出力してこれらの動作制御をするように構成されている。
【００５１】
なお、後述するように、制御装置５１０は当該パチンコ機１が遊技中かどうかを発射ハンドル３０の操作量（可変抵抗器３０７からの信号）に基づいて判定しているが、本発明はこれに限らず、例えば球発射装置５５等、遊技動作に係る他の機器の稼動状態に基づいて遊技中かどうかの判定を行うようにしてもよい。
【００５２】
報知手段４０は、遊技中、皿ユニット２０の球受け部２１が満杯になると遊技者にこれを報知する手段であり、具体的には、皿ユニット２０に設けられている案内用放音部２５のスピーカ、ガラス枠１４に配置されている報知用照明部４３、または演出用照明部４１である。また、球受け部２１が満杯になったとき、遊技者に対して球抜き操作をより強く促すようにするために、球抜きスイッチ３１０、球抜きボタン２４ａ、２４ｂ自体に、またはこれらの周辺にランプ等からなる報知手段を設けてもよい。
【００５３】
また、本実施形態では、パチンコ機１の全体動作を制御する主制御基板５１に本制御システムの制御装置５１０が備えられる例について説明しているが、本発明を実施するにあたっては、主制御基板５１とは独立に動作するマイコンによって制御装置５１０を形成し、本発明に係る機能をパチンコ機１のオプションとして適宜追加できるようにしてもよい。
【００５４】
次に、上述の制御システムの動作を図９に示すフローチャートに基づいて説明する。なお、図９の処理は、上述した制御装置５１０によって実行される例を示している。また、同図のフローチャートには記載していないが、制御装置５１０は、球抜きスイッチ３１０が押圧操作されている間、球抜き機構２１０を制御して皿ユニット２０の球抜き口２０４を開放する。また、制御装置５１０は、球抜きスイッチ３１０が一旦オンすると、予め設定された時間だけ球抜き口２０４を開放するように制御してもよい。
【００５５】
図９において、制御装置５１０は、始めに遊技が進行中か判定する（ステップＳ１）。この場合において、制御装置５１０は、発射ハンドル３０に備えられている可変抵抗器３０７の出力信号から発射ハンドル３０の操作量を検出し、操作量が一定以上であれば遊技中であると判定する。
【００５６】
パチンコ機１が遊技中であって（ステップＳ１：ＹＥＳ）、球満杯センサ２２０がオン信号を出力している場合（ステップＳ２：ＹＥＳ）、制御装置５１０は報知手段４０に対して、球受け部２１の遊技球が満杯であり球抜きが必要である旨の報知をさせる（ステップＳ３）。上述したように報知手段４０は、皿ユニット２０の案内用放音部２５、またはガラス枠１４の報知用照明部４３等から形成され、制御装置５１０に指令に従って、案内音声や光の点滅等による上述の報知を実行する。
【００５７】
報知手段４０による球抜き操作を促す報知が行われている間に、遊技者が球抜きスイッチ３１０等を操作して球受け部２１から遊技球を排出し、球満杯センサ２２０がオフすると（ステップＳ４：ＹＥＳ）、制御装置５１０は、報知手段４０に対し遊技球が満杯である旨の上述の報知を終了させる（ステップＳ５）。
【００５８】
かかる構成の本パチンコ機１によれば、遊技者が遊技球の打ち出し操作を行う発射ハンドル３０に球抜きスイッチ３１０を設けたので、遊技者は、打ち出し等の遊技操作をしながら容易に球抜き操作をすることができる。また、球満杯センサ２２０を球受け部２１に設け遊技球が満杯であることを報知するので、大当たり時など賞球が多く払い出されているときでも、遊技者は、適宜に球抜き操作を行うことができる。このように、球抜き操作など遊技に係る操作性が向上するので、遊技の興趣が高まると共に遊技者の利便性も向上する。
【図面の簡単な説明】
【００５９】
【図１】図１（ａ）は、本発明の一実施態様によるパチンコ機の外部構造を表す正面図であり、図１（ｂ）はその側面図である。
【図２】図２は、本発明の一実施態様によるパチンコ機の構造を表す背面図である。
【図３】図３は、本発明の一実施態様によるパチンコ機の皿ユニットの構造を表す平面図である。
【図４】図４は、本発明の一実施態様によるパチンコ機の皿ユニットの構造を表す正面図である。
【図５】図５は、本発明の一実施態様によるパチンコ機の発射ハンドルの内部構造を表す部分断面図である。
【図６】図６は、図５に示す矢印位置Ｂから見た、前カバーが取り外された状態の発射ハンドルの内部構造を表す正面図である。
【図７】図７は、図５に示す矢印位置Ｃから見た、回動操作部が取り外された状態の発射ハンドルの内部構造を表す正面図である。
【図８】図８は、本発明の一実施態様によるパチンコ機の制御システムを表すブロック図である。
【図９】図９は、本発明の一実施態様によるパチンコ機の制御システムの動作を表すフローチャートである。
【符号の説明】
【００６０】
１…パチンコ機、  １１…木枠、  １２…前扉、
１３…透明ガラス板、  １４…ガラス枠、  １５…鍵穴、
１６…遊技盤面部、  １７、１８…チャッカー、
１９…アタッカー、  ２０…皿ユニット、２１…球受け部、
２０４…球抜き口、  ２１０…球抜き機構、
２１１…シャッタ板、  ２２０…球満杯センサ、
２２…賞球払出口、  ２３…球排出口、  ２５…案内用放音部、
３０…発射ハンドル、  ３０１…回動操作部、
３０１ａ…円筒部、  ３０１ｂ…円盤部、  ３０１ｃ…軸部、
３０１ｄ、３０１ｅ…孔、  ３０１ｆ…遊嵌孔、
３０２…支持部材、  ３０２ａ…ケース部、  ３０２ｂ…取付け部、
３０２ｃ…接続筒部、  ３０２ｄ…支柱部、  ３０２ｅ…軸受部、
３０３…前カバー、  ３０３ａ…軸受部、  ３０３ｂ…接続柱部、
３０４…バネ、  ３０５…歯車、  ３０６…歯車、
３０７…可変抵抗器、  ３１０…球抜きスイッチ、
４０…報知手段、  ４１…演出用照明部、
４２ａ、３２ｂ…演出用放音部、  ４３…報知用照明部、
５１…主制御基板、  ５２…サブ制御基板、  ５３…賞球払出装置、
５４…賞球タンク、  ５５…球発射装置、  ５６…払出制御基板、
５７…電源ユニット、  ５１０…制御装置
【図１】
2005296445.tif 000003
【図２】
2005296445.tif 000004
【図３】
2005296445.tif 000005
【図４】
2005296445.tif 000006
【図５】
2005296445.tif 000007
【図６】
2005296445.tif 000008
【図７】
2005296445.tif 000009
【図８】
2005296445.tif 000010
【図９】
2005296445.tif 000011